(57)【要約】【課題】容易に開封でき、かつ開封した後容易に引き裂くことができる。【解決手段】包装袋１は最内層を構成する弱シール性樹脂層１２を含む積層フィルム１０からなる袋本体１ａと、袋本体１ａの両端部を貼り合わせて形成された背貼りシール部３と、袋本体１ａの上部を貼り合わせて形成された上部シール部２とを備える。上部シール部２の両端部に角落とし部４が形成されている。【選択図】図１Ａ
2020033032.tif 000002
【特許請求の範囲】
【請求項１】
最内層を構成する弱シール性樹脂層を含む積層フィルムを備えた袋本体と、
前記袋本体の両端部を貼り合わせて形成された背貼りシール部と、
前記袋本体の上部または下部を貼り合わせて形成された上部シール部または下部シール部とを備え、
前記上部シール部の両端部または下部シール部の両端部が破断されて角落とし部が形成され、前記角落とし部は前記袋本体を上下方向に引き裂く際の引き裂き開始点を形成する、包装袋。
【請求項２】
前記包装袋はピロータイプの包装袋からなる、請求項１記載の包装袋。
【請求項３】
前記包装袋は一対の折り込み部を有するガゼットタイプの包装袋からなり、各折り込み部の両端部に前記角落とし部が形成されている、請求項１記載の包装袋。
【請求項４】
各折り込み部の先端部が、前記袋本体の中央に位置する、請求項３記載の包装袋。
【請求項５】
最内層を構成する弱シール性樹脂層を含む積層フィルムを備えた袋本体と、
前記袋本体の両端部を貼り合わせて形成された背貼りシール部と、
前記袋本体の上部または下部を貼り合わせて形成された上部シール部または下部シール部とを備え、
前記上部シール部の両端部または下部シール部の両端部が破断されて角落とし部が形成され、前記角落とし部は前記袋本体を上下方向に引き裂く際の引き裂き開始点を形成する、包装袋と、
前記包装袋内に収納された内容物とを備えた、包装袋体。
【発明の詳細な説明】
【技術分野】
【０００１】
本開示の実施の形態は、易開封性を有するガゼットタイプまたはピロータイプの包装袋および包装袋体に関する。
【背景技術】
【０００２】
従来、シール性を有する積層フィルムの周縁端部にヒートシールを施して包装袋を形成し、この包装袋内に内容物を収納して包装袋体を作製することが広く行われており、この包装袋体はその後流通される。このような包装袋体は、内容物保存性の向上に寄与している。特にピロータイプの包装袋は積層フィルムの巻取りを用いた連続包装が可能なことから、能率面及びコスト面に優れると共に、包装袋体の見栄えも良く、広く用いられている。尚、ピロータイプ包装袋の側方を内側に折り込んだ状態でヒートシールしたものがガゼットタイプの包装袋である。
【０００３】
そして、内容物を取り出す際は、包装袋体端部を鋏で切り取ったり、包装袋体の周縁シール部に設けられたノッチを起点として手で袋体を引き裂いたりしている。しかしながら、内容物が細長かったり、内容物の滑りが悪いと取り出しにくいという問題がある。
【０００４】
このような問題を解決するため、包装袋の背シール部に設けた開封ノッチから、背シール部に対向する面まで、引き裂きを誘導する２本の開封誘導線をレーザー加工により設けて、ノッチ部から上の袋体を手で引き裂いて除去する包装袋がある（特許文献１参照）。
【０００５】
しかしながら、レーザー加工による引き裂き誘導線を設けた包装袋の場合、内容物を取り囲むように引き裂き誘導線を形成するため、壊れ易い内容物だと開封時に引き裂いた包材によって切断されたり、内容物がこぼれたりしてしまうことが多く、用途が限定されてしまう。更に、レーザー加工で引き裂き誘導線を設けることができる積層フィルムは、一般的にアルミ箔を用いた構成をもつ必要があるため仕様までも限定されてしまう。
【０００６】
また、手で開封可能なイージーピールシーラントからなるシール層を有する積層フィルムを用いて包装袋を形成し、シール層からなるシール部を手で開封する包装袋体が開発されている（特許文献２参照）。
【０００７】
更に、シール部を手で開封し易くするため、背シール部に対向するつまみシール部を設けた包装袋も開発されている（特許文献３参照）。
【０００８】
しかしながら、これらの包装袋は、開封が容易であっても、内容物を取り出すために指で内容物をつまみ出す必要があるため、指先を汚してしまいがちである。更に、内容物が細長い場合には、包装袋も細いので指を入れる余裕が無かったり、取り出すために包装袋をさかさまにすればカスが落ちてしまったりする。さらに、包装袋の底部を押し上げて内容物を開封部から押し出そうとしても内容物の滑りが悪くて内容物が出てこないという問題がある。このため、内容物を取り出すだけの作業にストレスが生じてしまう。
【先行技術文献】
【特許文献】
【０００９】
【特許文献１】特開２０１４−９８７号公報
【特許文献２】特開２００４−３５２２９２号公報
【特許文献３】特開２０１６−１５０７８１号公報
【発明の概要】
【発明が解決しようとする課題】
【００１０】
本発明はこのような点を考慮してなされたものであり、容易に開封でき、開封後に内容物を取り出し易い包装袋および包装袋体を提供することを目的とする。
【課題を解決するための手段】
【００１１】
本実施の形態は、最内層を構成する弱シール性樹脂層を含む積層フィルムを備えた袋本体と、前記袋本体の両端部を貼り合わせて形成された背貼りシール部と、前記袋本体の上部または下部を貼り合わせて形成された上部シール部または下部シール部とを備え、前記上部シール部の両端部または下部シール部の両端部が破断されて角落とし部が形成され、前記角落とし部は前記袋本体を上下方向に引き裂く際の引き裂き開始点を形成する、包装袋である。
【００１２】
本実施の形態は、前記包装袋はピロータイプの包装袋からなる、包装袋である。
【００１３】
本実施の形態は、前記包装袋は一対の折り込み部を有するガゼットタイプの包装袋からなり、各折り込み部の両端部に前記角落とし部が形成される、包装袋である。
【００１４】
本実施の形態は、各折り込み部の先端部が、前記袋本体の中央に位置する、包装袋である。
【００１５】
本実施の形態は、最内層を構成する弱シール性樹脂層を含む積層フィルムを備えた袋本体と、前記袋本体の両端部を貼り合わせて形成された背貼りシール部と、前記袋本体の上部または下部を貼り合わせて形成された上部シール部または下部シール部とを備え、前記上部シール部の両端部または下部シール部の両端部が破断されて角落とし部が形成され、前記角落とし部は前記袋本体を上下方向に引き裂く際の引き裂き開始点を形成する、包装袋と、前記包装袋内に収納された内容物とを備えた、包装袋体である。
【発明の効果】
【００１６】
本実施の形態によれば、包装袋体を容易に開封でき、開封した包装袋体を引き裂いて内容物を容易に取り出すことができる。
【００１７】
また、本発明に係る包装体は、バナナの皮の一剥きのように袋体の一面を開放することができるので、細長くて壊れ易い内容物でも破壊することなく取り出すことができる。
【図面の簡単な説明】
【００１８】
【図１Ａ】図１Ａは本実施の形態による包装袋を示す平面図。
【図１Ｂ】図１Ｂは本実施の形態における包装袋体を示す平面図。
【図１Ｃ】図１Ｃは積層フィルムの層構成を示す図。
【図１Ｄ】図１Ｄは包装袋の他の例を示す図。
【図２Ａ】図２Ａは図１Ａに示す包装袋の比較例を示す図。
【図２Ｂ】図２Ｂは図１Ｄに示す包装袋の比較例を示す図。
【図３Ａ】図３Ａは包装袋の変形例を示す図。
【図３Ｂ】図３Ｂは図３ＡのＢ−Ｂ線断面図。
【図４】図４は包装袋の他の変形例を示す図。
【図５】図５は包装袋の他の変形例を示す図。
【図６】図６は包装袋の他の変形例を示す図。
【図７】図７は包装袋の他の変形例を示す図。
【図８】図８は図１Ａに示す開封後の包装袋を示す展開図。
【図９】図９は図１Ｄに示す開封後の包装袋を示す展開図。
【発明を実施するための形態】
【００１９】
＜本実施の形態＞
以下、図面を参照して本実施の形態について説明する。
【００２０】
図１Ａ乃至図２Ｂおよび図８乃至図９は本実施の形態を示す図である。
【００２１】
（包装袋および包装袋体）
まず図１Ａにより第１の実施の形態による包装袋について説明する。第１の実施の形態による包装袋１は、ピロータイプの包装袋であり、積層フィルム１０からなる袋本体１ａと、袋本体１ａの両端部を合掌状に貼り合わせてヒートシールにより形成された背貼りシール部３と、袋本体１ａの上部を貼り合わせてヒートシールにより形成された上部シール部２とを備えている。
【００２２】
また袋本体１ａのうち上部シール部２の上縁両端部には、上部シール部２が破断されて３角形状の角落とし部４が形成されている。
【００２３】
この上部シール部２の角落とし部４は、袋本体１ａを上下方向に沿って引き裂く際の引き裂き開始点となる（図８参照）。
【００２４】
このような構成からなる包装袋１は下方部に開口５が形成され、この下方部の開口５から、例えば棒状のお菓子等の内容物６が収納される。そして包装袋１の開口５がヒートシールされて下部シール部７が形成される。このようにして包装袋１と、この包装袋１内に収納された内容物６とを備えた包装袋体１Ａが構成される。この場合、包装袋１の下部シール部７の両端部には、下部シール部７が破断されて角落とし部８が形成されている。
【００２５】
なお、本明細書において、「上部」、「下部」、「上下方向」とは包装袋１あるいは包装袋体１Ａを、図１Ａあるいは図１Ｂに示すように配置した場合における、図１Ａおよび図１Ｂ上における「上部」、「下部」、「上下方向」を意味する。
【００２６】
また包装袋１の角落とし部４は、高さｈ１を有しており、上部シール部２の高さをｈとした場合、
０．５＜ｈ１／ｈ＜１
となっている。
【００２７】
（積層フィルム）
次に袋本体１ａを構成する積層フィルム１０について図１Ｃにより説明する。袋本体１ａを構成する積層フィルム１０は、少なくとも基材フィルム１１と弱シール性樹脂層１２とを積層したフィルムからなり、必要に応じて基材フィルム１１と弱シール性樹脂層１２との間に、中間層を設けても良い。このうち、基材フィルム１１は外面側を向く外層を構成し、弱シール性樹脂層１２は内面側を向く内層を構成する。
【００２８】
ここで基材フィルム１１としては、一般的に食品用包装材料に用いられるポリエチレンテレフタレイト、ポリエチレンブイレイト、ポリアミド、ポリプロピレン、ポリエチレン等の物理的強度や耐熱性に優れた二軸延伸フィルム、および、これらのフィルムに金属酸化物や金属を蒸着したり、酸素バリア性コーティングを施したり、易接着性層を設けたりしたフィルムを用いることができる。また、特に縦裂き性を有する基材フィルム１１を用いることにより、袋本体１ａの一面をバナナの皮のように上から下まできれいに剥くことができて好都合である。
【００２９】
弱シール性樹脂層１２としては、ヒートシール面が弱シール性を有する、単体フィルム、共押出しフィルム、または、積層フィルムのいずれかを用いることができる。
【００３０】
弱シール性樹脂層１２のタイプとしては、凝集破壊、層間剥離、界面剥離の各タイプの樹脂層があるが、いずれのタイプでも構わない。この場合、ヒートシール面同士が弱シール部となる、いわゆる面々イージーピールフィルムを用いる必要がある。
【００３１】
具体的には凝集剥離タイプの弱シール性樹脂層は、樹脂層が開封時に内部凝集破壊を生ずることにより弱シール性を発現するものである。凝集剥離タイプの弱シール性樹脂層はワックスや粘結材をブレンドしたＥＶＡ系材料やポリオレフィン／ポリスチレン系、ポリエチレン／ポリプロピレン系などの非相溶ポリマーアロイが知られている。この凝集剥離タイプの樹脂層は剥離強度のシール温度安定性、夾雑物シール性、耐内容物性に優れている。ここで「夾雑物シール性に優れる」とは、ヒートシール樹脂層に比較的大きな粒子サイズを有する夾雑物が混入している場合でも良好なヒートシール性能をもつことをいう。
【００３２】
中間層としては、前記の基材フィルムに用いるフィルムに加えて、金属箔、エチレン・ビニルアルコール共重合体、遮光性フィルム等を用途により単層、または、複層で用いることができる。
【００３３】
また、袋本体１ａを構成する積層フィルム１０における積層方法は特に限定する必要がなく、通常のフィルム積層方法である、ドライラミネーション、ノンソルラミネーション、溶融樹脂の押出しラミネーション等を用いることができる。
【００３４】
また、本発明に係る袋本体１ａには文字や絵柄の印刷を施すことができ、通常は基材フィルム１１にグラビア印刷、フレキソ印刷等によって印刷を施す。
【００３５】
（本実施の形態の作用）
次にこのような構成からなる本実施の形態の作用について説明する。
【００３６】
図１Ｂにおいて、包装袋体１Ａを開封する。この際、使用者は片手で上部シール部２の下方の背貼りシール部３を摘み、もう一方の手で背貼りシール部３に対向する位置の上部シール部２の下方を摘んで、両手を広げる。この場合、上部シール部２が弱シール性を有するので当該上部シール部２を開封することができる。このとき、上部シール部２の中央部から開封が始まり、上部シール部２は中央部から左右方向に開封され、その後上部シール部２は中央部から一対の角落とし部４まで開封される。
【００３７】
包装袋１の袋本体１ａの上部シール部２を開封した状態を図８の展開図により説明する。図８の展開図において、包装袋１の背貼りシール部３は便宜上分離されている。
【００３８】
図８に示すように、上部シール部２が中央部から角落とし部４まで開封した後、角落とし部４によって、上部シール部２に袋本体１ａを上下方向に沿って引き裂く際の２箇所の引き裂き開始点が形成される。
【００３９】
次に図８において、袋本体１ａの角落とし部４間の上部シール部２を把持して下方へ引っ張る。このことにより袋本体１ａは、角落とし部４から下方へ延びる引き裂き線１４によって、引き裂き線１４，１４間の領域１３が引き裂かれて袋本体１ａから除去される。
【００４０】
使用者は領域１３が除去されて大きく開口した包装袋１から内容物６を容易かつ簡単に取り出すことができる。
【００４１】
次に図２Ａにより本実施の形態の比較例を説明する。図２Ａに示すように、ピロータイプの包装袋１の袋本体１ａの上部に上部シール部２が形成されており、この上部シール部２には角落とし部が設けられていない。
【００４２】
図２Ａに示す比較例において、上部シール部２には角落とし部が設けられていないため、上部シール部２を開封しても袋本体１ａを引き裂く際の引き裂き開始点は形成されない。このため、袋本体１ａを引き裂く場合、背貼りシール部３を引き裂くか、または鋏を使って袋本体を１ａを引き裂く必要があり、煩雑となる。
【００４３】
（本実施の形態の変形例）
次に図１Ｄにより包装袋１の変形例を示す。図１Ａ乃至図１Ｂにおいて、包装袋１がピロータイプの包装袋からなる旨示したが、これに限らず、包装袋１はガゼットタイプの包装袋からなっていてもよい。
【００４４】
図１Ｄに示すように、包装袋１は一対の折り込み部１５を有するガゼットタイプの包装袋からなっていてもよい。図１Ｄに示すように、包装袋１の袋本体１ａは一対の折り込み部１５を有し、袋本体１ａの上部がヒートシールされて、上部シール部２が形成されている。そして上部シール部２の一方の上縁端部に、一方の折り込み部１５に対応して２個の角落とし部４が形成され、上部シール部２の他方の上縁端部に、他方の折り込み部１５に対応して２個の角落とし部４が形成され、上部シール部２に合計４個の角落とし部４が形成されている。
【００４５】
図１Ｄに示す包装袋１において、上部シール部２の下方の背貼りシール部３を片手で把持するとともに、包装袋１のうち上部シール部２の下方の背貼りシール部３に対応する部分を他方の手で把持して上部シール部２を開封する。このときの状態を図９の展開図に示す。
【００４６】
図９の展開図において、包装袋１の背貼りシール部３は便宜上分離されている。
【００４７】
図９に示すように、上部シール部２が中央部から角落とし部４まで開封される。このことにより、角落とし部４によって、上部シール部２に袋本体１ａを上下方向に沿って引き裂く際の４箇所の引き裂き開始点が形成される。
【００４８】
次に図９において、袋本体１ａの角落とし部４間の上部シール部２を把持して下方へ引っ張る。このことにより袋本体１ａは、角落とし部４から下方へ延びる引き裂き線１４によって、引き裂き線１４，１４間の領域１３が引き裂かれて袋本体１ａから除去される。
【００４９】
使用者は領域１３が除去されて大きく開口した包装袋１から内容物６を容易かつ簡単に取り出すことができる。
【００５０】
次に図２Ｂにより図１Ｄに示す変形例に対する比較例を説明する。図２Ｂに示すように、ガゼットタイプの包装袋１の袋本体１ａの上部に上部シール部２が形成されており、この上部シール部２には角落とし部が設けられていない。
【００５１】
図２Ｂに示す比較例において、上部シール部２には角落とし部が設けられていないため、上部シール部２を開封しても袋本体１ａを引き裂く際の引き裂き開始点は形成されない。このため袋本体１ａを引き裂く場合、背貼りシール部３を引き裂くか、または鋏を使って袋本体１ａを引き裂く必要があり、煩雑となる。
【００５２】
次に図３Ａおよび図３Ｂにより、本実施の形態の他の変形例について述べる。図３Ａおよび図３Ｂに示すように、包装袋１は一対の折り込み部１５を有するガゼットタイプの包装袋からなっていてもよい。図３Ａおよび図３Ｂに示すように、包装袋１の袋本体１ａは一対の折り込み部１５を有し、袋本体１ａの上部がヒートシールされて、上部シール部２が形成されている。そして上部シール部２の一方の上縁端部に、一方の折り込み部１５に対応して２個の角落とし部４が形成され、上部シール部２の他方の上縁端部に、他方の折り込み部１５に対応して２個の角落とし部４が形成され、上部シール部２に合計４個の角落とし部４が形成されている。
【００５３】
また、各折り込み部１５の先端部１５ａは、袋本体１ａの略中央部まで達して、突き合わせ型のガゼットタイプの包装袋１を構成している。
【００５４】
図３Ａおよび図３Ｂにおいて、上部シール部２のうち、一対の折り込み部１５により４つの折り曲げ部２１ａ，２１ｂ，２２ａ，２２ｂが形成され、このうち対向する折り曲げ部２１ａ，２２ｂを把持する。次に上部シール部２のうち、一対の折り込み部１５により形成された対向する折り曲げ部２１ａ，２２ｂを引き離す。このことにより、袋本体１ａの上部シール部２を小さな力でより確実に開封することができる。袋本体１ａの上部シール部２を開封した後、図１Ｄおよび図８に示す実施の形態と同様にして、袋本体１ａの角落とし部４間の上部シール部２を把持して下方へ引っ張る。このことにより袋本体１ａを引き裂き線１４により、引き裂き線１４，１４間の領域１３を引き裂いて袋本体１ａから除去することができる。
【００５５】
あるいはまた、ピロータイプの包装袋１は袋本体１ａと、上縁に微細凹凸形状２３をもつ上部シール部２と、背貼りシール部３とをもっていてもよい。
【００５６】
一般にピロータイプの包装袋１を作製する際、ジグザグ形状をもつ切断刃により袋本体１ａが切断されて包装袋１が得られる。この場合、袋本体１ａの上部シール部２の上縁に微細凹凸形状２３が形成され、上部シール部２の上縁両端部に高さｈ１の角落とし部４が形成されている。図４において、角落とし部４の高さｈ１は、上部シール部２の高さｈに対して０．５＜ｈ１／ｈ＜１の関係をもつ。
【００５７】
次に本実施の形態の他の変形例について、図５乃至図７により更に説明する。また、袋本体１ａに設けられた角落とし部４の形状は、図５に示すように円弧状その他の形状をもっていてもよい。
【００５８】
また、袋本体１ａの上部シール部２は、図６に示すように、複数の線シールからなっていてもよい。図６に示すように、製袋機で上部シール部２を形成した時に生じる上部シール部２の両端部において、上部シール部２の両端部が未シール状態であっても、角落とし部４の端が上部シール部２に掛かっていれば本実施の形態の効果を奏する。
【００５９】
図７は本発明に係る包装袋体１Ａの変形例を例示する概略図である。図７に示すように、包装袋１内に細長く折れ易いクッキー等の内容物６が収納されている。なお、図７において包装袋１を包装して包装袋体１Ａを作製した場合、上部シール部２と反対側の下部シール部７には開封を困難とする突起部７ａを設けてもよい。図７において、包装袋体１Ａを開封するにあたり、開封すべき場所を印刷で示してもよく、突起部７ａを切り落としてもよい。
【実施例】
【００６０】
（積層フィルムの作製）
次に、具体的実施例により本実施の形態を更に詳述する。
【００６１】
まず基材フィルム１１としての厚み１２μｍの縦裂き性二軸延伸ポリエチレンテレフタレイトフィルム（製品名「ＰＣ」、ユニチカ株式会社製）、中間層としての厚み１５μｍの二軸延伸ポリアミドフィルム（製品名「Ｎ１２０２」、東洋紡績株式会社製）、弱シール性樹脂層１２としての厚み３０μｍのイージーピールフィルム（製品名「７６０１ＥＤ」、東レフィルム加工株式会社製）を準備した。次にこれらのフィルムをこの順番に２液硬化型ウレタン系接着剤を用いて貼り合わせ、積層フィルム１０を得た。
【００６２】
（包装袋の製造）
積層フィルム１０を縦１７０ｍｍ×横１４０ｍｍにカットし、ヒートシール巾１０ｍｍのヒートシーラーを用いて、包装袋仕上がり巾６０ｍｍ、長さ１７０ｍｍのピロータイプの包装袋１を作製するとともに、折り込み部巾１０ｍｍ、包装袋仕上がり巾４０ｍｍ、長さ１７０ｍｍのガゼットタイプの包装袋１を作製し、さらに折り込み部巾１５ｍｍ、包装袋仕上がり巾３０ｍｍ、長さ１７０ｍｍの突合せ型のガゼットタイプの包装袋を作製し、このようにして、合計３種類の包装袋１を作製した。
【００６３】
前記３種類の各包装袋１の上部シール部２の両端部を端縁から５ｍｍの位置で斜め４５度に切り落とし、角落とし部４を形成した。
【００６４】
なお、包装袋１の背貼りシール部３のヒートシール強度は９．４Ｎ／１５ｍｍだった。
【００６５】
（包装袋の製造）
上述した３種類の包装袋１内に、断面寸法約２０ｍｍ×２０ｍｍ、長さ１２０ｍｍの内容物６としての半生洋菓子を収納し、包装袋１の開口５に巾１０ｍｍの下部シール部７を設けて密封し、３種類の包装袋体１Ａを得た。
【００６６】
（開封試験）
ピロータイプの包装袋１をもつ包装袋体１Ａにおいて、角落とし部４を上方に向けて、上部シール部２直下の背貼りシール部３と、当該背貼りシール部３に対向する包装袋１の部分とを両手で摘み、両手を遠ざけるように引くことにより上部シール部２を開封した。そして、背貼りシール部３側の手は摘み続けたまま、背貼りシール部３に対向する包装袋１の部分を摘んでいた手で開封した上部シール部２のうち背貼りシール部３の反対側の上端を摘んで下に引き下ろす。このことにより、角落とし部４から下方へ延びる引き裂き線１４によって、引き裂き線１４，１４間の領域１３がバナナの皮を剥くように引き裂かれて、内容物６を取り出すことができた。次にそのまま包装袋体１Ａごと内容物６の下方を把持して食することも、内容物６を取り出すことも容易に行うことができた。
【００６７】
また、突合せ型ではないガゼットタイプの包装袋１をもつ包装袋体１Ａにおいて、角落とし部４を上方に向けて上部シール部２直下の背貼りシール部３と、当該背貼りシール部３に対向する包装袋１の部分とを両手で摘み、両手を遠ざけるように引くことにより、背貼りシール部３に対向する上部シール部２を開封した。そして、背貼りシール部３側の手は摘み続けたまま、背貼りシール部３に対向する包装袋１の部分を摘んでいた手で上部シール部２のうち、背貼りシール部３の反対側の上端を摘んで下に引き下ろす。このことにより、角落とし部４から下方へ延びる引き裂き線１４によって、引き裂き線１４，１４間の領域１３がバナナの皮を剥くように引き裂かれて、内容物６を取り出すことができる。次にそのまま包装袋体１Ａごと内容物６の下方を把持して食することも、内容物６を取り出すことも容易に行うことができた。
【００６８】
また、前記本発明に係る突合せ型のガゼットタイプの包装袋１をもつ包装袋体１Ａにおいて、角落とし部４を上にして上部シール部２に折り込み部１５により形成された４つの折り曲げ部２１ａ，２１ｂ，２２ａ，２２ｂのうち、対向する折り曲げ部２１ａ，２２ｂを両手で摘み、両手を遠ざけるように引いて、対向する上部シール部２の摘んでいない折り曲げ部２１ｂ，２２ａを開封する。次に開封された上部シール部２の折り曲げ部２１ｂ，２２ａに手を持ち替えて摘み、両手を遠ざけるように引くことにより、上部シール部２をすべて開封した。当該突合せ型のガゼットタイプの包装袋１は上部シール部２を開封するために一旦手を持ち替える必要はあるが、ピロータイプの包装袋１あるいは突合せでないガゼットタイプの包装袋１よりも、小さな力で、より容易に上部シール部２を開放することができた。そして、片方の手で背貼りシール部３上端を摘み、もう一方の手で包装袋１の前面の上端を摘んで、前面側の手で折り曲げ部２１ａ，２２ａ上端から包装袋１の前面を引き裂くようにして手を下に引き下ろす。このことにより、角落とし部４から下方へ延びる引き裂き線１４によって、引き裂き線１４，１４間の領域１３がバナナの皮を剥くように引き裂かれて、内容物６を取り出すことができる。次にそのまま包装袋体１Ａごと内容物６の下方を把持して食することも、内容物６を取り出すことも容易に行うことができた。
【比較例】
【００６９】
実施例で用いた積層フィルム１０を使用し、実施例と同一寸法、同一形態の袋体を、上部シール部２に角落とし部４を設けることなく、実施例と同様、３種類の包装袋１を作製した。次に実施例と同じ内容物を包装袋１内に収納して密封することにより、比較例としての３種類の包装袋体１Ａを得た。
【００７０】
（開封試験）
前記３種類の包装袋体１Ａは、いずれも実施例と同様にして上部シール部２を開放することができた。しかし、角落とし部４が無く、包装袋１を引き裂くことができないため、内容物を取り出すためには上部シール部２の開封部を下方に向けて包装袋体１Ａを持ち内容物を落として出すか、背貼りシール部３を剥がして内容物を露出させるかのいずれかの方法が必要であり、非常に手間が掛かった。特に、上部シール部２の開封部を下にして持つと、包装袋体１Ａの内容物のカスが落下して周辺を汚すのみならず、内容物の滑りが悪いと落すこと自体できなかった。また、背貼りシール部３を開放する際には、内容物に手や包装袋１から負荷を掛けてしまいがちであるため、内容物を破壊してしまうことが度々生じた。
【符号の説明】
【００７１】
１    包装袋
１ａ  袋本体
１Ａ  包装袋体
２    上部シール部
３    背貼りシール部
４    角落とし部
６    内容物
７    下部シール部
１０  積層フィルム
１１  基材フィルム
１２  弱シール性樹脂層
【図１Ａ】
2020033032.tif 000003
【図１Ｂ】
2020033032.tif 000004
【図１Ｃ】
2020033032.tif 000005
【図１Ｄ】
2020033032.tif 000006
【図２Ａ】
2020033032.tif 000007
【図２Ｂ】
2020033032.tif 000008
【図３Ａ】
2020033032.tif 000009
【図３Ｂ】
2020033032.tif 000010
【図４】
2020033032.tif 000011
【図５】
2020033032.tif 000012
【図６】
2020033032.tif 000013
【図７】
2020033032.tif 000014
【図８】
2020033032.tif 000015
【図９】
2020033032.tif 000016